(57)【特許請求の範囲】
【請求項１】
ファインダ−スクリ−ンの被写体像をダハプリズムによって左右正像としてアイピ−スレンズで視認するアイレベルファインダ−と、上記被写体像を直接に視認するウエストレベルファインダ−とからなるカメラ用ファインダ−において、撮影デ−タを正態表示する光学表示器をファインダ−スクリ−ンに近いカメラ本体位置に設けると共に、アイレベルファインダ−には上記光学表示器の撮影デ−タ光をダハプリズムを通さないでアイピ−スレンズに導く光学系を設け、アイレベルファインダ−によって被写体の左右正像と共に正態の撮影デ−タを、ウエストレベルファインダ−によって被写体の左右逆像と共に正態の撮影デ−タを各々視認する構成としたことを特徴とするカメラ用ファインダ−。
【発明の詳細な説明】
【０００１】
【発明の属する技術分野】
この発明は、カメラ本体に選択的に装着して被写体を視観するアイレベルファインダ−とウエストレベルファインダ−に関する。
【０００２】
【従来の技術】
一眼レフレックスカメラのファインダ−として、アイレベルファインダ−とウエストレベルファインダ−とが広く知られている。
このようなファインダ−は、撮影者の意図や撮影状況にしたがってアイレベルファインダ−をカメラ本体に装着し、また、ウエストレベルファインダ−をカメラ本体に装着して被写体を視観する構成となっている。
【０００３】
図６はカメラ本体に装着したアイレベルファインダ−の従来例を示す簡略機構図である。
図示するように、カメラ本体１０にはファインダ−スクリ−ン１１が設けられており、撮影レンズ１２を通った撮影光がクイックリタ−ンミラ−１３で反射されてこのスクリ−ン１１に入射し被写体像を映し出すようになっている。
なお、ファインダ−スクリ−ン１１に映し出される被写体像は、被写体の左右が反対となった左右逆像となる。
【０００４】
また、カメラ本体１０には、シャッタ秒時、絞り値、フォ−カシング状態などの撮影デ−タを光学的に表示する光学表示器１４がファインダ−スクリ−ン１１の近くに配備されている。
この光学表示器１４は、発光ダイオ−ド（ＬＥＤ）や液晶（ＬＣＤ）等によって構成されているが、撮影デ−タを左右反転させた表示状態で光学表示する構成となっている。
【０００５】
アイレベルファインダ−１５は、カメラ本体１０に着脱自在に装備されており、このファインダ−１５には、第１プリズム１６、第２プリズム１７、第３プリズム１８、アイピ−スレンズ１９が備えられている。
第１プリズム１６は、ファインダ−スクリ−ン１１に映し出された被写体像の光を第２プリズム１７に導くもので、第２プリズム１７は被写体像の左右を正像させるだはダハプリズムであり、第３プリズム１８は第２プリズム１７から出射した被写体像光をアイピ−スレンズ１９に導くものである。
【０００６】
このアイレベルファインダ−１５は、ファインダ−スクリ−ン１１の被写体像と光学表示器１４の撮影デ−タが第２プリズム１７によって反転されるので、アイピ−スレンズ１９より視き見れば、図７に一例として示したように、左右反転のない被写体像２０と撮影デ−タ２１が視認される。
【０００７】
図８はカメラ本体に装着したウエストレベルファインダ−の従来例を示す簡略機構図である。
このウエストレベルファインダ−２２は、カメラ本体１０に着脱自在に装備され、上方よりファインダ−スクリ−ン１１の被写体像と光学表示器１４の撮影デ−タを視認する構成となっている。
【０００８】
すなわち、このウエストレベルファインダ−２２では、ファインダ−スクリ−ン１１に映し出される被写体像と光学表示器１４の表示とを直接に視認する。
このため、図９に一例として示した如く、実際の被写体に対して左右が反転した被写体像（左右逆像）２３と左右反転の撮影デ−タ２４とを視認することになる。
【０００９】
【発明が解決しようとする課題】
上記したように、ウエストレベルファインダ−２２は、左右反転の被写体像２３と左右反転の撮影デ−タ２４を視認することになるため、撮影する被写体を視観するファインダ−としては好ましくなかった。
特に、文字や図柄で光学表示される撮影デ−タは、左右反転文字、左右反転図として光学表示され、このような撮影デ−タ２４をウエストレベルファインダ−２２によって直接に見ることになり、撮影デ−タの読み取りに極めて不便であった。
【００１０】
なお、左右を反転させない正常状態の撮影デ−タを表示する光学表示器を設けることが考えられるが、このような光学表示器の表示は、アイレベルファインダ−１５では左右反転の撮影デ−タとなり好ましくない。
【００１１】
上記のような問題を解決するため、ウエストレベルファインダ−２２の使用の際に、光学表示器１４の撮影デ−タ表示を電気的に反転させ、左右反転のない正態表示に切換える回路手段を設けたり、また、アイレベルファインダ−とウエストレベルファインダ−の各々に撮影デ−タの光学表示器を設けることが行なわれている。
【００１２】
しかし、このような解決手段では、光学表示器の表示状態を切換えるための回路手段が必要となり、また、２つのファインダ−に光学表示器を設けることは部品点数が増加する他に、光学表示器の組み込みスペ−スの問題が生ずるために、必ずしも好ましい解決手段ではない。
【００１３】
本発明は上記した実情にかんがみ、ファインダ−構成を可能なるかぎり簡単にしてアイレベルファインダ−とウエストレベルファインダ−とで正態表示の撮影デ−タが被写体像と共に視認することができるカメラ用ファインダ−を提案することを目的とする。
【００１４】
【課題を解決するための手段】
上記した目的を達成するため、本発明は、ファインダ−スクリ−ンの被写体像をダハプリズムによって左右正像としてアイピ−スレンズで視認するアイレベルファインダ−と、上記被写体像を直接に視認するウエストレベルファインダ−とからなるカメラ用ファインダ−に関する。
【００１５】
そして、この発明では、撮影デ−タを正態表示する光学表示器をファインダ−スクリ−ンに近いカメラ本体位置に設けると共に、アイレベルファインダ−には上記光学表示器の撮影デ−タ光をダハプリズムを通さないでアイピ−スレンズに導く光学系を設ける。
【００１６】
これにより、アイレベルファインダ−によって被写体の左右正像と共に正態の撮影デ−タを、ウエストレベルファインダ−によって被写体の左右逆像と共に正態の撮影デ−タを各々視認する構成としたことを特徴とするカメラ用ファインダ−となっている。
【００１７】
【作用】
この発明のファインダ−はカメラ本体に設けた光学表示器が撮影デ−タを正態表示する。
したがって、ウエストレベルファインダ−を使用する場合は、ファインダ−スクリ−ンに映し出された被写体の左右逆像を視認することになるが、撮影デ−タについては光学表示器の正態表示を視認することができる。
【００１８】
アイレベルファインダ−を使用するときは、ファインダ−スクリ−ンの左右逆像の被写体がダハプリズムによって左右反転され、アイピ−スレンズから被写体が正立正像として視認される。
【００１９】
また、このアイレベルファインダ−は、光学表示器の撮影デ−タ光がダハプリズムを通らないでアイピ−スレンズに導かれるので、正態表示された撮影デ−タがアイピ−スレンズより視認することができる。
【００２０】
【発明の実施の形態】
次に、本発明の実施形態について図面に沿って説明する。
図１は第１実施形態のアイレベルファインダ−に備える光学系図である。
この図面において、３１は従来例同様のファインダ−スクリ−ン、３２は第１プリズム、３３は第２プリズム、３４は第３プリズム、３５はアイピ−スレンズ、３６はアイポイントを示す。
【００２１】
第１プリズム３２は、ファインダ−スクリ−ン３１に映し出された被写体像の光をダハプリズムである第２プリズム３３に導くプリズムで、ダハプリズムである第２プリズム３３は被写体像を左右反転させて正立正像光として出射する。
第３プリズム３４は第２プリズム３３より出射した正立正像光をアイピ−スレンズ３５に導くプリズムである。
【００２２】
また、第１プリズム３２は図示する如く、被写体像光を反射する第１反射面３２ａ、第２反射面３２ｂの他に、撮影デ−タの光を反射させる第３反射面３２ｃが設けてあり、さらに、第３プリズム３４には被写体像光を反射する第１反射面３４ａの他に、撮影デ−タの光を反射する第２反射面３４ｂが設けてある。
【００２３】
３７はシャッタ秒時、絞り値、フォ−カシング状態などの撮影デ−タを光学的に表示する光学表示器であり、これはＬＥＤ素子、ＬＣＤ素子などをドライブ回路によって点灯させる構成としてある。
【００２４】
この光学表示器３７はファインダ−スクリ−ン３１に近いカメラ本体位置に配備してあり、上下、左右共に反転させない正態の撮影デ−タを光学表示するようになっている。
また、この実施形態では光学表示器３７の撮影デ−タ光をミラ−３８で一旦反射させて第１プリズム３２に入射させるように構成してある。
【００２５】
このような光学系を備えたアイレベルファインダ−は従来例同様にカメラ本体に着脱自在に装備する構成とする。
このアイレベルファインダ−をカメラ本体に取り付けると、ファインダ−スクリ−ン３１に映し出された左右逆像の被写体像が従来例同様に第２プリズム（ダハプリズム）で左右反転されることから、アイピ−スレンズ３５を視き見れることにより、被写体の正立正像が視認できる。
【００２６】
また、光学表示器３７は撮影デ−タを正態表示し、その撮影デ−タ光がミラ−３８で反射して第１プリズム３２に入射する。
第１プリズム３２に入射した撮影デ−タ光は、その第１反射面３２ａで反射し、続いて第３反射面３２ｃで反射した後、再び第１反射面３２ａで反射して出射する。
【００２７】
第１プリズム３２から出射した撮影デ−タ光は、第３プリズム３４に入射し、その第２反射面３４ｂで反射し、続いて第１反射面３４ａで反射してアイピ−スレンズ３５に導かれる。
【００２８】
このように撮影デ−タ光はダハプリズムである第２プリズム３３を通らないため、アイピ−スレンズ３５を視き見ることにより、光学表示器３７が表示する正態の撮影デ−タを視認することができる。
図２（Ａ）は上記のように構成したアイレベルファインダ−により視認される被写体像３９と撮影デ−タ４０の一例を示す。
【００２９】
また、アイレベルファインダ−に換えてウエストレベルファインダ−をカメラ本体に装備した場合は、ファインダ−スクリ−ン３１の被写体像と光学表示器３７が表示する撮影デ−タを直接に見ることになる。
【００３０】
この結果、ファインダ−スクリ−ン３１に映し出された左右逆像の被写体像を見ることになるが、撮影デ−タについては光学表示器３７が表示する正態表示の撮影デ−タを見ることができる。
図２（Ｂ）はウエストレベルファインダ−によって視認される被写体像４１と撮影デ−タ４２を示す。
【００３１】
図３は第２実施形態として示した図１同様の光学系図である。
この実施形態は、第１プリズム３２を変形し、第１反射面３２ａの一部をミラ−４３により置き換え、このミラ−４３により撮影デ−タ光を反射させる構成としたことが特徴となっている。
その他は図１と同構成である。
【００３２】
図４は第３実施形態として示した図１同様の光学系図である。
この実施形態は、第１プリズム３２を更に変形し、第１反射面３２ａの一部をミラ−４３で置き換える他、第３反射面３２ｃを設けずにアクリル材のプリズム４４を第１プリズム３２に一体的に設け、これらプリズム４４とミラ−４３で撮影デ−タ光を反射させる構成としたことが特徴となっている。
その他は図１と同構成である。なお、上記したプリズム４４はミラ−に置き換えることができる。
【００３３】
図５は第４実施形態として示した図１同様の光学系図である。
この実施形態は、第１プリズム３２を変形してミラ−４３とプリズム４４を設ける他に、第２プリズム３３を変形して反射面３３ａを新たに設けると共に、第３プリズム３４は撮影デ−タ光の反射専用のプリズムとして構成したことが特徴となっている。
その他は図１と同構成である。
【００３４】
【発明の効果】
上記した通り、本発明では撮影デ−タを正態表示する光学表示器をカメラ本体に設けると共に、アイレベルファインダ−には光学表示器の撮影デ−タ光をダハプリズムを通さないでアイピ−スレンズに導く光学系を設けた構成としたので、アイレベルファインダ−とウエストレベルファインダ−とで正態表示の撮影デ−タが被写体像と共に視認できるカメラ用ファインダ−となる。
【００３５】
また、本発明のカメラ用ファインダ−は、アイレベルファインダ−の光学系を変えることで簡単に構成することができることから実用上の充分な効果を得ることができる。
【図面の簡単な説明】
【図１】第１実施形態として示したアイレベルファインダ−の光学系図である。
【図２】図２（Ａ）は第１実施形態によってアイレベルファインダ−により視認される被写体像と撮影デ−タを示す。
図２（Ｂ）は第１実施形態によってウエストレベルファインダ−により視認される被写体像と撮影デ−タを示す。
【図３】第２実施形態として示した図１同様の光学系図である。
【図４】第３実施形態として示した図１同様の光学系図である。
【図５】第４実施形態として示した図１同様の光学系図である。
【図６】カメラ本体に装備した従来例のアイレベルファインダ−を示す簡略機構図である。
【図７】従来のアイレベルファインダ−により視認される被写体像と撮影デ−タを示す。
【図８】カメラ本体に装備した従来のウエストレベルファインダ−を示す簡略機構図である。
【図９】従来のウエストレベルファインダ−により視認される被写体像と撮影デ−タを示す。
【符号の説明】
３１  ファインダ−スクリ−ン
３２  第１プリズム
３３  第２プリズム（ダハプリズム）
３４  第３プリズム
３５  アイピ−スレンズ
３７  光学表示器
【図１】
0003622070.tif 000002
【図２】
0003622070.tif 000003
【図３】
0003622070.tif 000004
【図４】
0003622070.tif 000005
【図５】
0003622070.tif 000006
【図６】
0003622070.tif 000007
【図７】
0003622070.tif 000008
【図８】
0003622070.tif 000009
【図９】
0003622070.tif 000010